(57)【特許請求の範囲】
【請求項１】
可動に支持された第１の家具部分（３ａ）をガイドするためのガイドシステム（２）であって、前記第１の家具部分（３ａ）は、少なくとも１つの第２の家具部分（３ｂ）に枢着結合されており、前記ガイドシステム（２）は、
前記第１及び第２の家具部分（３ａ，３ｂ）をガイドするための第１のガイドレール（９）と、
前記第１及び第２の家具部分（３ａ，３ｂ）をガイドするための第２のガイドレール（１３ａ）であって、組付け状態で前記第１のガイドレール（９）に対して横方向に延在している第２のガイドレール（１３ａ）と、
前記第１及び第２の家具部分（３ａ，３ｂ）のうちの一方に結合可能であり、前記第１のガイドレール（９）および前記第２のガイドレール（１３ａ）に対して相対的に移動可能なガイド装置（１０）であって、組付け状態で前記第１のガイドレール（９）および前記第２のガイドレール（１３ａ）を平面図で見た場合の、前記第１のガイドレール（９）と前記第２のガイドレール（１３ａ）との間の交差領域（４５）を、往復移送可能であるガイド装置（１０）と、
を有している、ガイドシステム（２）において、
前記ガイドシステム（２）は駆動装置（１２）を有しており、前記駆動装置は、少なくとも１つの蓄力器（２１）によって負荷されていて、前記ガイド装置（１０）に可動に連結可能な連行体（２０）を備えており、前記連行体（２０）は退避位置でロックされており、前記連行体（２０）は、前記ガイド装置（１０）が前記交差領域（４５）内に進入することによりロック解除可能であって、これにより前記連行体（２０）は、前記連行体に連結された前記ガイド装置（１０）と共に、前記少なくとも１つの蓄力器（２１）の力によって少なくとも所定の区分で前記第２のガイドレール（１３ａ）に沿って引き込み可能であり、
前記第１のガイドレール（９）と前記第２のガイドレール（１３ａ）とは、組付け状態で、高さ方向で互いに間隔を置いて配置されていることを特徴とする、ガイドシステム（２）。
【請求項２】
前記連行体（２０）に少なくとも１つの押圧ローラ（２２）が回転可能に支持されていて、前記押圧ローラは、前記少なくとも１つの蓄力器（２１）の力によって制御カム（２３）に対して押し付け可能であり、前記押圧ローラ（２２）は、前記第２のガイドレール（１３ａ）に沿って前記ガイド装置（１０）が移動する際に、前記制御カム（２３）内をまたは前記制御カム（２３）に沿って走行可能であるように支持されている、請求項１記載のガイドシステム。
【請求項３】
前記制御カム（２３）は、前記少なくとも１つの蓄力器（２１）の力によって、前記連行体（２０）を前記第２のガイドレール（１３ａ）に沿って引込み方向に引き込むことができる引込区分（２３ａ）と、前記引込区分（２３ａ）に続く緊張区分（２３ｂ）とを有しており、前記緊張区分によって、前記連行体（２０）の引き続き行われる引込み方向での移動の際に前記少なくとも１つの蓄力器（２１）に力を蓄えることができる、請求項２記載のガイドシステム。
【請求項４】
切替器（２５）が設けられていて、前記切替器は、前記切替器に配置されたまたは形成された作動輪郭（２５ｃ）を備えており、前記連行体（２０）が前記引込み方向とは逆方向に移動する際に、前記押圧ローラ（２２）は前記切替器（２５）の前記作動輪郭（２５ｃ）に沿って走行可能であり、ひいては前記制御カム（２３）の前記引込区分を迂回することができる、請求項３記載のガイドシステム。
【請求項５】
前記ガイドシステム（２）は、組付け状態で鉛直方向に延在するコラム（１４）を有しており、前記コラムは前記ガイド装置（１０）と共に前記第２のガイドレール（１３ａ）に沿って移動可能であるように支持されており、前記連行体（２０）は前記コラム（１４）に回転軸（１９）を中心として旋回可能であるように支持されている、請求項１から４までのいずれか１項記載のガイドシステム。
【請求項６】
前記コラム（１４）には、１つの家具部分（３ａ，３ｂ）を可動に支持するための少なくとも１つの固定具部分（１８）が配置されている、請求項５記載のガイドシステム。
【請求項７】
前記コラム（１４）は支持体（１１）に結合されていて、前記支持体は、組付け状態で移送位置へと移動可能であり、前記移送位置において前記支持体（１１）は長手方向（Ｌ）で前記第１のガイドレール（９）に接続していて、これにより前記ガイド装置（１０）は、前記第１のガイドレール（９）と前記支持体（１１）との間で往復移送可能である、請求項５または６記載のガイドシステム。
【請求項８】
前記支持体（１１）は前記第１のガイドレール（９）にロック装置（３０）によってロック可能であって、前記ロック装置（３０）は前記ガイド装置（１０）が前記支持体（１１）内へ、または前記支持体（１１）上に進入することによりロック解除可能である、請求項７記載のガイドシステム。
【請求項９】
前記ガイド装置（１０）は、少なくとも１つのローラ（１５ａ，１５ｂ，１５ｃ，１５ｄ，１５ｅ）を備えたキャリッジとして形成されており、前記ローラは少なくとも前記第１のガイドレール（９）に沿って走行可能であるように支持されている、請求項１から８までのいずれか１項記載のガイドシステム。
【請求項１０】
前記連行体（２０）は、該連行体（２０）に連結された前記ガイド装置（１０）と共に、前記交差領域（４５）から始まって、前記少なくとも１つの蓄力器（２１）の力によって、少なくとも所定の区分で前記第２のガイドレール（１３ａ）に沿って引き込み可能である、請求項１から９までのいずれか１項記載のガイドシステム。
【請求項１１】
回転軸（５ａ）を介して互いに枢着結合されている第１の家具部分（３ａ）および第２の家具部分（３ｂ）と、前記第１及び第２の家具部分（３ａ，３ｂ）をガイドするための請求項１から１０までのいずれか１項記載のガイドシステム（２）とを有した装置。
【請求項１２】
前記第１及び第２の家具部分（３ａ，３ｂ）は、前記第１及び第２の家具部分（３ａ，３ｂ）が互いに拡開されている第１の位置と、前記第１及び第２の家具部分（３ａ，３ｂ）が互いに折り畳まれている第２の位置とをとることができ、前記第１の位置の前記第１及び第２の家具部分（３ａ，３ｂ）をガイドするための第１のガイドレール（９）と、前記第２の位置の前記第１及び第２の家具部分（３ａ，３ｂ）をガイドするための第２のガイドレール（１３ａ）とが設けられており、前記第１及び第２の家具部分（３ａ，３ｂ）は、前記第１のガイドレール（９）から前記第２のガイドレール（１３ａ）へと移行する際に、少なくとも１つの蓄力器（２１）の力によって少なくとも所定の区分で前記第２のガイドレール（１３ａ）に沿って引き込み可能である、請求項１１記載の装置。
【請求項１３】
請求項１から１０までのいずれか１項記載のガイドシステム、または請求項１１または１２記載の装置を備えた家具（３７）。
【請求項１４】
前記家具（３７）は、稼働状態で固定されている家具本体（３６）と、前記家具本体（３６）に対して相対的に可動に支持された、第１の家具部分（３ａ）並びに少なくとも１つの第２の家具部分（３ｂ）とを有しており、前記第１及び第２の家具部分は組付け状態で、鉛直方向に延在する回転軸（５ａ）を介して互いに枢着結合されており、前記第１及び第２の家具部分（３ａ，３ｂ）は、前記第１及び第２の家具部分（３ａ，３ｂ）が実質的に互いに同一平面に配置されている第１の位置と、前記第１及び第２の家具部分（３ａ，３ｂ）が実質的に互いに平行に配置されている第２の位置との間で、前記ガイドシステム（２）によって移動可能である、請求項１３記載の家具（３７）。
【請求項１５】
前記家具（３７）は、少なくとも１つの側方の挿入中空室（７ａ）を有しており、この挿入中空室には前記第２の位置にある前記第１及び第２の家具部分（３ａ，３ｂ）を収容可能である、請求項１４記載の家具（３７）。
【請求項１６】
少なくとも１つの別の家具本体（６）が設けられていて、前記別の家具本体は前記家具本体（３６）内に装着されており、または前記家具本体（３６）に接続されており、前記別の家具本体（６）は前記第１の位置では可動な第１及び第２の家具部分（３ａ，３ｂ）によって遮蔽され、前記第２の位置では近づくことができる、請求項１４または１５記載の家具（３７）。
【発明の詳細な説明】
【技術分野】
【０００１】
本発明は、可動に支持された第１の家具部分、特に折戸の第１の扉をガイドするためのガイドシステムであって、第１の家具部分は、少なくとも１つの第２の家具部分、特に折戸の第２の扉に枢着結合されており、このガイドシステムは、
家具部分をガイドするための第１のガイドレールと、
家具部分をガイドするための第２のガイドレールであって、組付け状態で第１のガイドレールに対して横方向に延在している第２のガイドレールと、
家具部分のうちの一方に接続結合であり、第１のガイドレールおよび第２のガイドレールに対して相対的に移動可能なガイド装置であって、組付け状態で第１のガイドレールおよび第２のガイドレールを平面図で見た場合の、第１のガイドレールと第２のガイドレールとの間の交差領域を、往復移送可能であるガイド装置と、
を有しているガイドシステムに関する。
【０００２】
本発明はさらに、互いに枢着接続された２つの家具部分、特に１つの折戸の２つの扉と、上述した形式のガイドシステムとを備えた装置に関する。本発明はさらに、このような形式の装置、またはこのようなガイドシステムとを備えた家具に関する。
【０００３】
欧州特許第０４３３７２６号明細書（EP 0 433 726 B1）には、戸棚の複数の扉をガイドするためのレール装置が示されており、これらの扉は、組付け状態で、鉛直方向に延在する回転軸を介して互いに枢着接続されている。レール装置によって、戸棚扉は、戸棚扉が互いに同一平面に向けられている第１の位置と、戸棚扉が互いに平行に向けられている第２の位置との間で移動可能に支持されており、この場合、戸棚扉は第２の位置では、側方の挿入ギャップ内に収容されている。レール装置は、戸棚の前面に対して平行に延在する第１のガイドレールと、第１のガイドレールに対して直角に配置されている第２のガイドレールとを有している。さらに支持体が設けられていて（図１の符号５）、この支持体には第１の戸棚扉が枢着的に支持されていて、支持体はガイドレールを介して戸棚の外壁に対して平行に水平方向で摺動可能であるので、両戸棚扉は挿入ギャップ内に挿入可能である。第２の戸棚扉にはガイドエレメントが配置されていて（符号７）、このガイドエレメントは第１のガイドレールに沿って走行可能に支持されている。このような構造の欠点は、ガイドエレメントが、第１のガイドレールと第２のガイドレールとの間を直角に移行する際に、ガイドレールのＵ字型の脚に衝突し、したがってガイドレール内へのガイドエレメントの進入が妨げられるということにある。
【０００４】
国際公開第２０１６／０８１９６３号（WO 2016/081963 A1）、国際公開第２０１６／０８１９６１号（WO 2016/081961 A1）、および独国実用新案第２９７１０８５４号明細書（DE 297 10 854 U1）には、互いに枢着接続された扉のためのガイドシステムが開示されており、この場合、折り畳まれた位置で、扉に手動で押圧力を加えることにより、扉を側方に配置された家具本体の戸棚区分内に挿入することができる。扉の大きさおよび重さに応じて、このために比較的大きな手動による力が必要である。
【０００５】
本発明の課題は、上記欠点を回避する冒頭で述べた形式のガイドシステムを提供することである。
【０００６】
本発明によればこの課題は、請求項１の特徴部により解決される。本発明のさらに好適な構成は、従属請求項に記載されている。
【０００７】
本発明によれば、すなわち、ガイドシステムは駆動装置を有しており、この駆動装置は、少なくとも１つの蓄力器によって負荷されていて、ガイド装置に可動に連結可能な連行体を備えており、この連行体は退避位置でロックされており、この連行体は、ガイド装置が交差領域内に進入することによりロック解除可能であって、これにより連行体は、連行体に連結されたガイド装置と共に、少なくとも１つの蓄力器の力によって少なくとも所定の区分で第２のガイドレールに沿って引き込み可能である。
【０００８】
提案されたガイドシステムにより、回転軸を介して互いに枢着結合された少なくとも２つの家具部分は、これら家具部分が実質的に互いに同一平面に配置されている第１の位置と、これら家具部分が折り畳まれて、この場合、実質的に互いに平行な位置をとる第２の位置との間を移動することができ、この場合、家具部分は、第１のガイドレールから第２のガイドレールへと移行する際に、駆動装置によって第２のガイドレールに沿って移動可能であり、この場合、好適には、駆動装置の力によって少なくとも所定の区分で家具の側方の挿入中空室内に引き込み可能である。
【０００９】
この場合、駆動装置は純粋に機械的に、すなわち電気的駆動装置なしに、もしくは他の電気的な構成部分なしに、形成することができる。
【００１０】
本発明のその他の詳細および利点は、以下の図面の説明につき詳しく説明する。
【図面の簡単な説明】
【００１１】
【図１ａ】互いに枢着結合された家具部分を移動させるためのガイドシステムを示す斜視図である。
【図１ｂ】図１ａの一部を拡大して示す詳細図である。
【図２ａ】支持体上に位置するガイド装置を示す図である。
【図２ｂ】図２ａの一部を拡大して示す詳細図である。
【図３ａ】ガイドシステムの側面図である。
【図３ｂ】図３ａの一部を拡大して示す詳細図である。
【図４ａ】１つの位置における支持体の引込み過程を示す図である。
【図４ｂ】図４ａの一部を拡大して示す詳細図である。
【図４ｃ】図４ａに続く位置における支持体の引込み過程を示す図である。
【図４ｄ】図４ｃの一部を拡大して示す詳細図である。
【図５ａ】図４ａ〜図４ｄを起点とした支持体のさらに続く位置を示す図である。
【図５ｂ】図５ａの一部を拡大して示す詳細図である。
【図５ｃ】図４ａ〜図４ｄを起点とした支持体のさらに続く位置を示す図である。
【図５ｄ】図５ｃの一部を拡大して示す詳細図である。
【図６ａ】１つの位置における押出し過程を示す図である。
【図６ｂ】図６ａの一部を拡大して示す詳細図である。
【図６ｃ】図６ａに続く位置における押出し過程を示す図である。
【図６ｄ】図６ｃの一部を拡大して示す詳細図である。
【図７ａ】支持体とガイドレールとの間の取外し可能なロックの可能な実施例を１つの位置で示す図である。
【図７ｂ】図７ａに続く位置における、支持体とガイドレールとの間の取外し可能なロックの可能な実施例を示す図である。
【図８ａ】図７ａ、図７ｂを起点としたさらに続く位置を示す図である。
【図８ｂ】図７ａ、図７ｂを起点としたさらに続く位置を示す図である。
【図９ａ】第２の位置にある可動な家具部分を有する家具を示す図である。
【図９ｂ】第１の位置にある可動な家具部分を有する家具を示す図である。
【図１０ａ】第１の位置にある支持体を備えたガイドシステムを示す図である。
【図１０ｂ】図１０ａの一部を拡大して示す詳細図である。
【図１１ａ】第２の位置にある支持体を備えたガイドシステムを示す図である。
【図１１ｂ】図１１ａの一部を拡大して示す詳細図である。
【図１２ａ】ガイドレールに移動可能に支持されたガイド装置を示す斜視図である。
【図１２ｂ】ガイドレールに移動可能に支持されたガイド装置を示す横断面図である。
【図１３ａ】ガイドシステムを示す概略図、および家具部分の移動の時系列を示す図である。
【図１３ｂ】ガイドシステムを示す概略図、および家具部分の移動の時系列を示す図である。
【図１３ｃ】ガイドシステムを示す概略図、および家具部分の移動の時系列を示す図である。
【図１３ｄ】ガイドシステムを示す概略図、および家具部分の移動の時系列を示す図である。
【００１２】
本発明の全般的な基本原理を、それぞれガイドシステム２の平面図を示す図１３ａ〜図１３ｄにつき説明する。ガイドシステム２は、組付け状態で鉛直に延在する回転軸５ａを介して互いに枢着結合されている少なくとも２つの家具部分３ａおよび３ｂをガイドするための、長手方向（Ｌ）を有する第１のガイドレール９と、第２のガイドレール１３ａと、を有している。第２のガイドレール１３ａは、第１のガイドレール９に対して横方向に、好適にはほぼ直角に延在している。第１の家具部分３ａに接続すべきガイド装置１０（例えば、複数のローラを備えたキャリッジ）は、第１のガイドレール９に沿って長手方向（Ｌ）で移動可能に支持されている。家具部分３ａ，３ｂは図１３ａでは第１の位置をとっており、この位置では家具部分３ａ，３ｂは実質的に互いに同一平面に位置している。ガイドシステム２は駆動装置１２を有しており、この駆動装置は、ガイド装置１０に取り外し可能に連結可能な可動に支持された連行体２０を有していて、この連行体は、図１３ａに示したような退避位置では、少なくとも１つの蓄力器２１によって予荷重をかけられている。連行体２０は、蓄力器２１に力が蓄えられている図示した退避位置では、解除可能にロックされているので、連行体２０の移動は、長手方向（Ｌ）に対して横方向に延びる方向で阻止されている。連行体２０のこのようなロックは、例えば別個のロック装置３０（図７ａ、図７ｂ）によって、または別個の装置を使用せずとも、特に蓄力器と協働することにより、連行体の自動的にロックされる退避位置に到るガイド軌道の形状的な規定により行うことができる（例えば、欧州特許第３９１２２１号明細書（EP 391 221 B1）に示されたようなガイド軌道の湾曲区分または面取り区分による）。
【００１３】
図１３ａを起点として、家具部分３ａ，３ｂは回転軸５ａを中心として所定の角度位置へと互いに向かって移動することができ、ガイド装置１０は第１のガイドレール９の長手方向（Ｌ）で移動する（図１３ｂ）。家具部分３ａ，３ｂは次いで、第２の位置へと移動可能であり、この位置では家具部分３ａ，３ｂは実質的に互いに平行に位置している（図１３ｃ）。組付け状態で両ガイドレール９，１３ａを平面図で見た場合の交差領域４５にガイド装置１０が進入することにより、連行体２０はロック解除可能であり、ガイド装置１０に連結可能であるので、連行体２０は、この連行体に連結されたガイド装置１０と共に、負荷解除された蓄力器２１の力によって少なくとも所定の区分で第２のガイドレール１３ａに沿って方向（Ｚ）に引き込み可能である（図１３ｄ）。この場合、この引き込みは、家具部分３ａ，３ｂの所定の終端位置まで行うことができる、または部分引き込みとしてもよい。すなわち、部分引き込みの場合、連行体２０の引き込みが行われた後、駆動装置１２の少なくとも１つの蓄力器２１には、方向（Ｚ）で家具部分３ａ，３ｂの終端位置まで引き続き手動で力を加えることにより再び力を蓄えることができ、これにより連行体２０（ひいては家具部分３ａ，３ｂ）は、この終端位置を起点として少なくとも所定の区分で方向（Ｚ）とは逆方向にロック可能である。
【００１４】
第１のガイドレール９と第２のガイドレール１３ａとは一体に形成されていてもよく、その場合、第１のガイドレール９と第２のガイドレール１３ａとは湾曲区分を介して互いに接続されていてよい。選択的に、第１のガイドレール９と第２のガイドレール１３ａとは互いに分離された別個の構成部分として形成されていてもよく、これらは組付け状態で、同じまたは異なる高さ位置を有することができる。この場合、交差領域４５は、平面図で見て、ガイドレール９，１３ａまたはガイドレール９，１３ａの仮想延長線が互いに交差する領域によって形成される。
【００１５】
図１ａには、好適には折戸（フォールディングドア）の第１の扉の形態の第１の家具部分３ａをガイドするための、レール装置１を有したガイドシステム２の可能な使用例が示されており、家具部分３ａは、組付け状態で鉛直に延在する軸５ａを介して、第２の扉の形態の第２の家具部分３ｂに枢着されている。 オプションとして、同様に鉛直に延在する軸５ｂを介して互いに旋回可能に接続されている少なくとも２つの別の家具部分４ａ，４ｂを設けることもできる。ガイドシステム２は、例えばパーテイションシステムとして使用することができるので、図１ａに示したような、キッチンブロック、書斎スペース、物置スペース、棚等の形態の、家具本体６を、居住空間において、家具部分３ａ，３ｂ，４ａ，４ｂによって完全に隠すことができ、したがって居住空間のその他の領域から分離することができる。しかしながらガイドシステム２を、例えばウォークインクローゼットのようなクローゼットシステムのために使用することもできる。機能形式は、以下に家具部分３ａ，３ｂにつき説明するが、家具部分４ａ，４ｂについても同じ説明があてはまる。
【００１６】
家具部分３ａ，３ｂは、家具部分３ａ，３ｂが実質的に互いに同一平面に位置し、家具本体６が隠される第１の位置と、家具部分３ａ，３ｂが実質的に互いに平行に位置している第２の位置との間で、ガイドシステム２によって可動である。この第２の位置では、人が家具本体６に近づくことができ、この場合は両家具部分３ａ，３ｂは、側壁８ａの側方にある挿入中空室７ａ内に省スペースに収容することができる（他方の家具部分４ａ，４ｂのための左側の挿入中空室７ｂを図面により良好に認識することができる）。
【００１７】
レール装置１は、家具部分３ａ，３ｂをガイドするための、長手方向（Ｌ）を有するガイドレール９を含む。このガイドレール９は例えば、部屋の天井、部屋の壁、または家具本体に、好適には家具本体６のフロント面に対して平行に、取り付けることができる。
【００１８】
図１ｂには、図１ａの円で取り囲んだ領域が拡大されて示されている。家具部分３ａ，３ｂはガイド装置１０に接続されていて、このガイド装置によって家具部分３ａ，３ｂはガイドレール９に沿って移動可能に支持されている。移動可能なキャリッジの形態の、ガイドレール９とは別個の支持体１１が示されており、この支持体は、移送位置で、家具部分３ａに接続されたガイド装置１０がガイドレール９と支持体１１との間で往復移送可能であるように、長手方向（Ｌ）でガイドレール９に接続されている。ガイド装置１０は、側方の力を吸収するための鉛直方向の回転軸線を備えた少なくとも１つの第１のローラ１５ａと、鉛直方向の力を吸収するための水平方向の回転軸線を備えた少なくとも１つの第２のローラ１５ｂとを有することができ、この場合、ローラ１５ａ，１５ｂは、長手方向（Ｌ）で延在するガイドレール９のプロファイル区分９ａに沿って可動に支持されている。支持体１１も、プロファイル区分９ａの横断面の形状およびサイズに対応する横断面を備えたプロファイル区分１１ａを有しているので、ガイド装置１０はガイドレール９と支持体１１との間で往復移送可能である。支持体１１は例えば、長手方向（Ｌ）で延在する少なくとも２つのガイド通路１６ａ，１６ｂを、ローラ１５ａ，１５ｂのガイドのために有していてよい。
【００１９】
ガイドレール９に沿って直線的に摺動可能なガイド装置１０は、支持体１１の図示した移送位置ではまだガイドレール９上にある。支持体１１は、移送位置で、ロック装置３０（図７ａ、図７ｂ）によってガイドレール９に解除可能にロック可能であり、この場合、このロックは、ガイド装置１０が支持体１１内へと進入することにより、または支持体１１上へと進入することにより解除可能である。ロック解除が行われた後、支持体１１はガイド装置１０および両家具部分３ａ，３ｂと共に、ガイドレール９の長手方向（Ｌ）に対して横方向に、好適には直角に延びる方向（Ｚ）で水平方向に移動可能である。支持体１１は、鉛直方向に延在するコラム１４に接続されていて、このコラムは、方向（Ｚ）で移動可能であり、かつ駆動装置１２によって少なくとも所定の区分で方向（Ｚ）に引っ張り可能である。コラム１４は、組付け状態でガイドレール９から高さ方向で間隔を置いて位置する第２のガイドレール１３ａおよび１３ｂに沿って方向（Ｚ）で移動可能である。
【００２０】
図２ａには家具部分３ａ，３ｂが示されており、この図によると、これら家具部分は、図１ａを起点として、鉛直軸５ａを中心として互いに向かって旋回され、いまや互いにほぼ平行な位置にある。図２ｂには、図２ａの円で取り囲まれた領域が拡大図で示されており、ガイド装置１０が今や移送位置にある支持体１１上にある。この場合、長手方向（Ｌ）で測定した支持体１１の長さは、長手方向（Ｌ）で測定したガイド装置１０の幅よりも大きいように設けることができる。ガイドレール９のプロファイル区分９ａと支持体１１のプロファイル区分１１ａとは、横断面で好適には同一に形成されており、移送位置で互いに整列するように位置合わせされているので、ガイド装置１０のローラ１５ａ，１５ｂは、障害となる衝突縁なしにガイドレール９と支持体１１との間を往復移動可能である。図２ｂに示した位置を起点として支持体１１は、ガイド装置１０（ひいては家具部分３ａ，３ｂ）と共に、駆動装置１２の力によって少なくとも所定の区分で方向（Ｚ）に移動可能である。
【００２１】
図３ａには、移送位置にある支持体１１の側面図が示されており、この支持体１１は、鉛直方向に延在するコラム１４に接続されている。コラム１４は、支持体１１と共に、例えば支持ローラ１７ａ，１７ｂを介して、側壁８ａに取り付けられた第２のガイドレール１３ａ，１３ｂに沿って方向（Ｚ）で移動可能である。コラム１４には、家具部分３ｂを可動に支持するための少なくとも１つの固定具部分１８と、コラム１４に対して相対的に不動である支持部分２４とが配置されており、この支持部分２４には、家具部分３ａ，３ｂを方向（Ｚ）で引き込むための駆動装置１２の少なくとも１つの、好適には複数の蓄力器２１が固定されている。蓄力器２１は、示した図ではそれぞれ引っ張りばねとして形成されており、これらのばねは、回転軸１９を中心として旋回可能にコラム１４に支持された連行体２０に作用する。連行体２０には押圧ローラ２２が回転可能に支持されていて、この押圧ローラは、蓄力器２１の力により、駆動装置１２に凹状に形成された制御カム２３に対して押し付け可能であり、方向（Ｚ）でコラム１４が移動する際にこの制御カム２３に沿って走行可能である。制御カム２３は、方向（Ｚ）で支持体１１を部分的に引き込むための引込区分２３ａと、蓄力器２１に力を蓄えるための、引込区分２３ａに続いて位置する緊張区分２３ｂとを含む。図３ａでは、蓄力器２１が緊張状態にあるので、コラム１４（ひいては支持体１１）は、ガイドレール９からの支持体１１のロック解除後、弛緩する蓄力器２１の力によって、引込区分２３ａに沿って制御カム２３の最も深い領域まで引き込み可能である。これにより家具部分３ａ，３ｂも部分的に挿入中空室７ａ内に引き込まれ、これにより家具部分３ａ，３ｂは、方向（Ｚ）での挿入中空室７ａ内への前進移動のために良好に予め位置決めされている。次いで、互いに平行に向けられている家具部分３ａ，３ｂに回転軸５ａの領域で手動により力を加えることにより、コラム１４（ひいては押圧ローラ２２）はさらに方向（Ｚ）で、制御カム２３の緊張区分２３ｂに沿って移動し、このときに蓄力器２１には再び力が蓄えられる。連行体２０の押圧ローラ２２が制御カム２３の終端領域２３ｃに到達すると、蓄力器２１には完全に力が蓄えられ、これにより家具部分３ａ，３ｂは、方向（Ｚ）とは逆方向の走出運動の際に、挿入中空室７ａ内へ完全に挿入された位置を起点として、蓄力器２１により少なくとも所定の区分で方向（Ｚ）とは逆方向に移動可能である。さらに、回転軸２５ａを中心として傾動可能な、作動輪郭２５ｃを備えた切替器２５が設けられており、この場合、押圧ローラ２２は、上記挿入された位置を起点として、方向（Ｚ）とは逆方向に移動する際に、切替器２５の作動輪郭２５ｃに沿って走行可能である。これにより、蓄力器２１によって予荷重をかけられた押圧ローラ２２は、方向（Ｚ）とは逆方向に移動する場合は、制御カム２３の、障害となり得る引込区分２３ａを克服する必要がないので、すなわち押圧ローラ２２は引込区分２３ａを迂回することができ、蓄力器２１の力は比較的長い距離にわたって維持される。図３ｂには、図３ａの円で取り囲んだ領域が拡大されて示されている。
【００２２】
図４ａには、コラム１４（ひいては支持体１１）の引き続き行われる方向（Ｚ）での移動が示されている。支持部分２４に対して、引込区分２３ａ（図３ａ）における制御カム２３の間隔（距離）が減じられることにより、蓄力器２１は弛緩し、このときに、コラム１４もしくは支持体１１を方向（Ｚ）に引っ張る。図４ｂには、図４ａの円で取り囲んだ領域が拡大されて示されている。押圧ローラ２２が制御カム２３の最も深い領域に到達すると、押圧ローラ２２は、可動な家具部分３ａ，３ｂに手動で力を加えることにより、制御カム２３の緊張区分２３ｂに沿って移動するので、蓄力器２１は再び緊張され、ひいては力を蓄えることができる。回転軸２５ａを中心として傾動可能な切替器２５は、この場合、押圧ローラ２２によって持ち上げられる（図４ｃ）ので、押圧ローラ２２は、方向（Ｚ）での移動の際に妨げられることなく切替器２５を越えて移動し、さらに緊張区分２３ｂに沿って移動可能である。回転軸２５ａを中心として切替器２５が偏心的に操作されることにより、異なる長さのレバーアームを備えた２腕式のレバーが形成されるので、切替器２５はもっぱら長い方のレバーアームで重力負荷されて、制御カム２３の緊張区分２３ｂにルーズに接触する。好適には、切替器２５をばねエレメントによって制御カム２３へと押し付けることもできる。図４ｄには、図４ｃの円で取り囲んだ領域が拡大されて示されている。
【００２３】
図５ａには、挿入中空室７ａ内に完全に挿入される終端位置に達する直前のコラム１４の位置が示されている。押圧ローラ２２は、制御カム２３の緊張区分２３ｂに沿って移動しており、制御カム２３の水平方向に延びる終端領域２３ｃの直前に位置しているので、コラム１４は、方向（Ｚ）にも方向（Ｚ）の逆方向にも加速されていない。この場合、蓄力器２１には完全に力が蓄えられている。コラム１４にはハウジング２９が配置されていて、このハウジング内にはコラム１４もしくは支持体１１の閉鎖運動を緩衝するための緩衝装置２７が配置されている。緩衝装置２７は図示した実施例では、それぞれ１つのピストン・シリンダユニットを含む、並列に配置された、好適には液圧的な２つのリニアダンパーを含む。このリニアダンパーは、コラム１４の閉鎖運動の終了時頃に定置のストッパ２６へと当接し、これによりリニアダンパーのプランジャが押し込まれ、ひいてはコラム１４の移動を制動させることができる。さらに、ハウジング２９には、それぞれ１つのロック可能な蓄力器を備えた２つの押出し装置２８が配置されており、押出し装置２８の両プランジャは、コラム１４の閉鎖運動の際にストッパ２６と協働し、これにより押出し装置２８の蓄力器は力を蓄えることができ、蓄力状態でロック可能である。図５ｂには、図５ａの円で取り囲んだ領域が拡大されて示されている。
【００２４】
図５ｃには、コラム１４の終端位置が示されており、コラム１４の最後の閉鎖運動は、緩衝装置２７によって制動されて、押出し装置２８のロック可能な蓄力器に力が蓄えられる。 閉鎖位置を起点として、閉鎖位置の後方に位置する過剰押込み位置へとコラム１４を押し込むことにより、押出し装置２８はロック解除位置へと移動可能であり、これに続いてコラム１４は押出し装置２８の力により、更には力を蓄えた蓄力器２１の力によって再び方向（Ｚ）とは逆方向に移動可能である。図５ｄには、図５ｃの円で取り囲んだ領域が拡大されて示されている。
【００２５】
図６ａには、方向（Ｚ）とは逆方向で押出し装置２８による押出しが行われた後のコラム１４の位置が示されている。押圧ローラ２２は、この場合、切替器２５上に乗り上げる位置にあり、押圧ローラ２２は方向（Ｚ）とは逆方向での移動の際に、もはや引込区分２３ａに沿ってではなく、切替器２５に配置された、または形成された作動輪郭２５ｃに沿って走行可能である。このようにして、コラム１４もしくは家具部分３ａ，３ｂの押出し過程は、蓄力器２１の力の実質的な変動なしに均等に行われ、この場合、蓄力器２１の力は、比較的長い距離にわたって維持される。図６ｂには、図６ａの円で取り囲んだ領域が拡大されて示されており、押圧ローラ２２は、方向（Ｚ）の逆方向でコラム１４が移動する際に、切替器２５の作動輪郭２５ｃに当接し、この場合、押圧ローラ２２が引込区分２３ａの波の谷間に沿って移動する必要はない。
【００２６】
図６ｃには、方向（Ｚ）の逆方向で行われるコラム１４のさらなる移動が示されており、この場合、押圧ローラ２２は切替器２５の作動輪郭２５ｃに沿って移動し、切替器２５は回転軸２５ａを中心として反時計回りで旋回される。回転軸２５ａを中心とした切替器２５のこのような旋回運動により、押圧ローラ２２は再び緊張区分２３ｂの始点領域へと戻される。押圧ローラ２２が、切替器２５の作動輪郭２５ｃから再び離れた後、切替器２５は回転軸２５ａを中心として傾動されて再び出発位置へと戻される、すなわち、切替器２５の長い方のレバーアームがその比較的大きな重量により再び制御カム２３に当接する位置へと戻される。
【００２７】
図７ａおよび図７ｂには、ロック装置３０の可能な実施例が示されていて、このロック装置３０によって支持体１１は移送位置もしくは退避位置でガイドレール９にロック可能であり、ガイド装置１０の支持体１１内へのまたは支持体１１上への進入によりロック解除可能である。家具部分３ａはガイド装置１０に結合されていて、このガイド装置は長手方向（Ｌ）でガイドレール９に沿って移動可能である。ガイド装置１０にはスライド部材３３が可動に結合されているので、ガイド装置１０がガイドレール９に沿って移動する際にはスライド部材３３も共に移動する。スライド部材３３は突起３３ａを有しており、この突起は支持体１１内へのまたは支持体１１上への進入の際に、連結レバー３５の対応ストッパ３５ａと協働する（図７ｂ）。連結レバー３５は、回転軸３１を中心として回転可能に支持されており、連結レバー３５によって係止エレメント３５ｃが移動可能であり、この係止エレメントはロック位置でガイドレール９に設けられた対応する凹部３４内に係合し、この場合、支持体１１をガイドレール９に対して相対的にロックする。この場合、連結レバー３５は係止エレメント３５ｃと一体的に形成することができる。連結レバー３５には、（図示されていない）ばねによってロック位置の方向で予荷重をかけることができるので、これにより支持体１１は、方向（Ｚ）とは逆方向に移動する際に、このばねの力により再び自動的にガイドレール９にロック可能であり、ガイド装置１０は支持体１１を起点として再びガイドレール９に沿って移送可能である。
【００２８】
図８ａおよび図８ｂには、ガイド装置１０と可動に結合されたスライド部材３３の長手方向（Ｌ）でのさらなる移動が示されており、この場合、スライド部材３３の突起３３ａは連結レバー３５の対応ストッパ３５ａと協働し、ひいては連結レバー３５を、回転軸３１を中心として旋回させるので、係止エレメント３５ｃはガイドレール９に設けられた凹部３４から出て、支持体１１は、方向（Ｚ）での移動のためにガイドレール９から解放される。支持体１１は、ロック解除が行われた後、コラム１４と共に、上述した駆動装置１２の蓄力器２１の力によって少なくとも所定の区分で方向（Ｚ）へと引き込まれることができ、この場合、スライド部材３３に回転可能に支持されたスペーサローラ３２は、方向（Ｚ）での支持体１１の側方のガイドのために側壁８ａに沿って転動可能である。
【００２９】
図９ａおよび図９ｂには、図１ａに示した家具３７が示されていて、この家具は、作動状態で固定されている家具本体３６と、家具本体３６に対して相対的に可動に支持された少なくとも２つの家具部分３ａ，３ｂ、特に折戸の扉を有していて、これらの家具部分３ａ，３ｂは組付け状態で鉛直方向に延びる回転軸５ａを中心として互いに枢着接続されている。少なくとも２つの家具部分３ａ，３ｂは、家具部分３ａ，３ｂが実質的に互いに同一平面に配置されている第１の位置（図９ｂ）と、家具部分３ａ，３ｂがそれぞれ実質的に互いに平行に配置されている第２の位置（図９ａ）との間で、ガイドシステム２によって可動である。家具３７はこの場合、少なくとも１つの側方の挿入中空室７ａ，７ｂを有しており、この挿入中空室には第２の位置の家具部分３ａ，３ｂ，４ａ，４ｂを収容可能である。示した図では、少なくとも１つの別の家具本体６が設けられていて、この家具本体６は家具本体３６内に装着されており、または家具本体３６に接続されており、別の家具本体６は第１の位置では可動な家具部分３ａ，３ｂ，４ａ，４ｂによって遮蔽され、第２の位置では近づくことができる。家具部分３ａ，３ｂはガイド装置１０によってガイドレール９に対して相対的に走行可能であり、家具部分４ａ，４ｂは別個のガイド装置１０ａによって同じガイドレール９に沿って移動可能である。
【００３０】
図１０ａには、ガイドシステム２のレール装置１が示されており、支持体１１は記載したロック装置３０によってガイドレール９にロック可能であって、移送位置を起点として、長手方向（Ｌ）に対して横方向に延びる方向（Ｚ）で移動可能である。部分的に挿入中空室７ａを形成することができる側壁８ａには、支持体１１に結合されたコラム１４を摺動可能に支持するための第２のガイドレール１３ａおよび１３ｂと、回転軸２５ａを中心として傾動可能な切替器２５を備えた駆動装置１２とが取り付けられている。
【００３１】
図１０ｂには、図１０ａの円で取り囲まれた領域が拡大図で示されており、支持体１１は既に移送位置から出ており、方向（Ｚ）に僅かに移動している。方向（Ｚ）とは逆の支持体１１の移動を制限するために、支持体１１に配置された少なくとも１つのストッパエレメント３８が設けられていて、このストッパエレメントは、ガイドレール９に設けられた対応ストッパ３９に当接することができ、ひいては方向（Ｚ）の逆方向での支持体のさらなる動きを阻止する。支持体１１もしくはコラム１４をガイドするために、少なくとも１つの支持ローラ１７ａが設けられていてよく、この支持ローラは、第２のガイドレール１３ａに配置されたまたは形成された走行ウェブに沿って転動可能である。移送位置から離れた終端位置領域の内側でコラム１４の移動を緩衝するために設けられている緩衝装置２７がコラム１４に支持されていることがわかる。
【００３２】
図１１ａには、ガイドレール９から離れた位置にある支持体１１が示されており、この位置は、挿入中空室７ａ内に完全に挿入された家具部分３ａ，３ｂの位置に相当する。図１１ａに示された位置を起点として家具部分３ａ，３ｂは、この図では示されていない押出し装置２８によって、方向（Ｚ）とは逆方向で移動可能である。図１１ｂには、図１１ａの円で取り囲んだ領域が拡大されて示されている。
【００３３】
図１２ａには、ガイドレール９に移動可能に支持されたガイド装置１０が斜視図で示されている。ガイド装置１０は、鉛直方向に延在する回転軸線および水平方向に延在する回転軸線を備えた複数のローラ１５ａ，１５ｃ，１５ｄ，１５ｅを有することができ、この場合、ローラ１５ａ，１５ｃ，１５ｄ，１５ｅは、ガイドレール９のプロファイル区分９ａに沿って走行可能に支持されている。ガイド装置１０は保持アーム４０を有しており、家具部分３ａに取り付けるべき固定具部分４１は、組付け状態で鉛直方向に延在する回転軸４４を介して旋回可能に保持アーム４０に接続されている。固定具部分４１は、家具部分３ａに取り付けるために複数の取り付け個所４２ａ，４２ｂを有している。
【００３４】
図１２ｂには、ガイドレール９に移動可能に支持されたガイド装置１０が断面図で示されている。ガイドレール９は横断面で複数の中空室４３を有しており、これらの中空室はプロファイルウェブによって互いに分離されている。ローラ１５ａ，１５ｃ，１５ｄ，１５ｅは、ガイドレール９に沿って走行可能であり、家具部分３ａに取り付けるべき固定具部分４１は、鉛直方向に延在する回転軸４４を介して旋回可能に保持アーム４０に連結されている。
【符号の説明】
【００３５】
１  レール装置
２  ガイドシステム
３ａ，３ｂ  家具部分
４ａ，４ｂ  家具部分
５ａ，５ｂ  鉛直方向の回転軸
６  家具本体
７ａ，７ｂ  挿入中空室
８ａ，８ｂ  側壁
９  ガイドレール
９ａ  ガイドレールのプロファイル区分
１０  ガイド装置
１１  支持体
１１ａ  支持体のプロファイル区分
１２  駆動装置
１３ａ，１３ｂ  第２のガイドレール
１４  コラム
１５ａ，１５ｂ，１５ｃ，１５ｄ，１５ｅ  ローラ
１６ａ，１６ｂ  ガイド通路
１７ａ，１７ｂ  支持ローラ
１８  固定具部分
１９  連行体の回転軸
２０  連行体
２１  蓄力器
２２  押圧ローラ
２３  制御カム
２３ａ  制御カムの引込区分
２３ｂ  制御カムの緊張区分
２３ｃ  制御カムの終端領域
２４  支持部分
２５  切替器
２５ａ  切替器の回転軸
２５ｃ  切替器の作動輪郭
２６  定置のストッパ
２７  緩衝装置
２８  押出し装置
２９  ハウジング
３０  ロック装置
３１  連結レバーの回転軸
３２  スペーサローラ
３３  スライド部材
３３ａ  スライド部材の突起
３４  ガイドレールの凹部
３５  連結レバー
３５ａ  連結レバーの対応ストッパ
３５ｃ  連結レバーの係止エレメント
３６  家具本体
３７  家具
３８  支持体のストッパエレメント
３９  ガイドレールの対応ストッパ
４０  ガイド装置の保持アーム
４１  ガイド装置の固定具部分
４２ａ，４２ｂ  ガイド装置の取付け個所
４３  ガイドレールの中空室
４４  固定具部分の回転軸
４５  交差領域
【図１ａ】
0006851487.tif 000002
【図１ｂ】
0006851487.tif 000003
【図２ａ】
0006851487.tif 000004
【図２ｂ】
0006851487.tif 000005
【図３ａ】
0006851487.tif 000006
【図３ｂ】
0006851487.tif 000007
【図４ａ】
0006851487.tif 000008
【図４ｂ】
0006851487.tif 000009
【図４ｃ】
0006851487.tif 000010
【図４ｄ】
0006851487.tif 000011
【図５ａ】
0006851487.tif 000012
【図５ｂ】
0006851487.tif 000013
【図５ｃ】
0006851487.tif 000014
【図５ｄ】
0006851487.tif 000015
【図６ａ】
0006851487.tif 000016
【図６ｂ】
0006851487.tif 000017
【図６ｃ】
0006851487.tif 000018
【図６ｄ】
0006851487.tif 000019
【図７ａ】
0006851487.tif 000020
【図７ｂ】
0006851487.tif 000021
【図８ａ】
0006851487.tif 000022
【図８ｂ】
0006851487.tif 000023
【図９ａ】
0006851487.tif 000024
【図９ｂ】
0006851487.tif 000025
【図１０ａ】
0006851487.tif 000026
【図１０ｂ】
0006851487.tif 000027
【図１１ａ】
0006851487.tif 000028
【図１１ｂ】
0006851487.tif 000029
【図１２ａ】
0006851487.tif 000030
【図１２ｂ】
0006851487.tif 000031
【図１３ａ】
0006851487.tif 000032
【図１３ｂ】
0006851487.tif 000033
【図１３ｃ】
0006851487.tif 000034
【図１３ｄ】
0006851487.tif 000035